(57)【特許請求の範囲】
【請求項１】
集合住宅における住居であって、玄関に続く土間に、ペットを乗せて手入れできる、開閉式のカウンタートップを有するカウンター台と、該カウンタートップの下方に位置するペット用のシンクを備えたペットの手入れ用設備を設け、
前記土間を、浴室に続く洗面室に隣接したものとし、
前記カウンター台を前記洗面室に設けられた洗面台に隣接する位置に設け、
前記カウンター台の少なくとも一部が壁に沿うように設置し、前記カウンタートップの壁際の一部が、ヒンジにより前記カウンター台に連結されるようにし、
閉めた状態のカウンタートップの水平位置を、前記洗面室の洗面台の流しの高さと略同じものとし、かつ
カウンタートップの近傍の壁に、コンセント及びリード掛けフックを設けたこと、及び
前記土間が、前記洗面室の床より一段低く設定されていることを特徴とする人とペットが快適に共生するための住居。
【請求項２】
前記シンクに給湯給水のカランとシャワーが設けられていることを特徴とする請求項１に記載の住居。
【請求項３】
前記土間の床がリノリウム仕上げであることを特徴とする請求項１または２に記載の住居。
【請求項４】
前記土間と玄関の境に引き戸を設けたことを特徴とする請求項１〜４のいずれか１項に記載の住居。
【発明の詳細な説明】
【０００１】
【本発明の属する技術分野】
本発明は、集合住宅などの住居で、ペットの手入れを行うのに適した設備を有する、人とペットが快適に共生できる住居に関する。
【０００２】
【従来の技術】
近年のペットブームの影響を受けて、戸建てのみならずマンションなどの集合住宅においても犬などのペットを室内で飼育希望する人が増加している。人とペットが快適に共生するためには、室内に上がる前にペットの汚れを落す必要があるし、またペット特有の匂いや抜け毛の室内での散乱を防ぐために定期的なシャンプーと毎日のブラッシングが不可欠である。これまで、特にマンションなどの集合住宅では、ペットを抱えて風呂場に運んで汚れを落としたり、ベランダなどでブラッシングが行われることがあったが、抜け毛の飛散や鳴き声やの点で隣家に迷惑をかけることが多かった。このような問題に対応する目的で、例えば、登録実用新案公報第３０４６２１５号および特開２００１−１２００９６号では、集合住宅の出入口付近の共用部分に、ペット用の足洗い場を設けることを開示している。
【０００３】
【発明が解決しようとする課題】
ところが、上記の発明または考案によるペット用洗い場は共用スペースに設置されているので、いったん清潔に手入れしたペットを居室まで移動させる間に再び汚れてしまうという問題がある。また、共用スペースを利用する上での他人との気兼ねが生じるため、使い勝手が悪いという問題がある。さらに、集合住宅の各住戸に専用のペット用の手入れスペースを独立して設けるとコストがかかるし、専有面積のうち人の使用可能な範囲が狭まるため、結果的に住戸の分譲価格や賃料が高くなって、住人にとって極めて不都合である。しかも、居室内でブラッシングを行うと、抜け毛が部屋中に飛散して衛生的に問題があるし、飼い主が頻繁に掃除を行う必要が生じるという問題があった。
【０００４】
本発明は、このような問題点を解消するものであって、玄関から直接繋がる空間にペットの手入れ用設備を設置し、そしてこの設備に洗面室、風呂が続くような平面配置とすることで、ブラッシング、シャンプー、乾燥などのペットの一連の手入れを効率的に行えるようにした全く新しいものである。
【０００５】
【課題を解決するための手段】
本発明は、集合住宅などの住居を、玄関に続く土間に、ペットを乗せて手入れできる、開閉式のカウンタートップを有するカウンター台と、該カウンタートップの下方に位置するペット用のシンクを備えたペットの手入れ用設備を設け、前記土間を、浴室に続く洗面室に隣接したものとし、前記カウンター台を前記洗面室に設けられた洗面台に隣接する位置に設け、前記カウンター台の少なくとも一部が壁に沿うように設置し、前記カウンタートップの壁際の一部が、ヒンジにより前記カウンター台に連結されるようにし、閉めた状態のカウンタートップの水平位置を、前記洗面室の洗面台の流しの高さと略同じものとし、かつ、カウンタートップの近傍の壁に、コンセント及びリード掛けフックを設けたものとし、更に、前記土間を、前記洗面室の床より一段低く設定することにより、上記課題を解決したものである。
【０００６】
ここで、「土間」とは、土足のまま入ることを前提とした床を有する空間を意味する。このような設備であれば、飼い主はペットと一緒に土足で玄関から直接土間に入り、ここでブラッシングをして外の汚れを落としたり、脚の汚れを拭いてから、居室に上がるようにすることが可能となる。ペット用のシンクを、開閉式のカウンタートップの下方に配置したので、少ないスペースを最大限に有効利用して、カウンター台とシンクの両方を設置することができる。この際、ペット用のシンクは、カウンタートップを開けた状態で使用し、このカウンタートップを閉めた状態でペットを載せるカウンター台として使用することになる。スペースの節約と汎用性を考慮すれば、カウンタートップの大きさは、小型犬〜中型犬の載せられる程度のもの、例えば、幅が約８００ミリ、奥行きが７５０ミリのものが望ましく、シンクの大きさはこの大きさと略同じか若干小さい位が望ましい。ペット用のシンクは、散歩で汚れたリードやペットコーム（櫛）などの道具を直ぐに洗うことに利用できるので、使い勝手がよく清潔である。また、上述のサイズのシンクであれば、小型のペットをそのままシャンプーすることもできる。さらに、これらペット用の設備の隣に洗面室、そしてその隣に浴室が続くように配置したので、中型犬〜大型犬以上のサイズのペットでも、土間で大まかな汚れを落とした後で引き続き、洗面台または浴室においてシャンプーを行うことができる。シャンプー、タオルドライ後には、再び洗面室または土間に移動させ、ドライヤー乾燥できて、ペットの一連の手入れを、土間〜洗面室〜浴室内で一貫して行えるので、手入れの効率的が向上すると同時に、居間や台所などの居住空間を清潔に保つことが可能となる。
【０００７】
また、前記カウンタートップを開閉式にする具体的な態様として、前記カウンター台の少なくとも一部を壁に沿うように設置し、前記カウンタートップの壁際の一部を、ヒンジにより前記カウンター台に連結することが挙げられる。このような簡単な構造であれば、低コストで設置できるし、カウンタートップの開閉が片手で容易にできるので、使い勝手に優れたものとなる。
【０００８】
また、前記カウンター台が、前記洗面室に設けられた洗面台に隣接する位置に設けられ、閉めた状態の前記カウンタートップの水平位置が、該洗面台の流しの高さと略同じとなるように設定したものであれば、カウンタートップの上でブラッシンク、汚れ落としをしたペットを洗面台の流しへと簡単に移動させることができる。或いは、洗面台の流しでシャンプーした後のペットを簡単にカウンタートップに再び移動させて、この上で乾燥、ブラッシングすることができるので、飼い主は楽な姿勢で手入れすることが可能となる。
【０００９】
さらに、前記カウンタートップの近傍の壁に、コンセントを設けたものであれば、カウンタートップの上でドライヤー乾燥させるのに極めて便利である。さらに、リード掛けフックも設けたので、ペットの手入れの最中に繋ぎ止めておくことができるし、またリードを居室内に持ち込まずに掛けておくことができて、より清潔である。
【００１０】
そして、前記土間と玄関の境に引き戸を設ければ、必要に応じて引き戸を閉めてペット用設備を目隠しできるし、玄関をブラッシングによる抜け毛などの汚れから防ぐことが可能となる。ペット用設備を使用する場合には引き戸を開けて玄関と土間を簡単に繋げることができる。出入口を引き戸としたので、狭い空間での人と動物の出入りが容易に行える。
【００１１】
前記土間を、前記洗面室の床よりも一段低く設定すれば、飼い主はペットと一緒に玄関から土足のまま土間に入り、土間で靴を脱いで洗面室にあがることができる。また、土間にたまった抜け毛や埃などの汚れを洗面室に移りにくくすることができる。汚れは、主に土間に集中することとなるので、飼い主は、土間を掃除すればよく、掃除の負担をかなり軽減することができる。土間の床は、水や汚れに強く、掃除の楽なリノリウム仕上げであることが望ましい。
【００１２】
【発明の実施の形態】
以下に、本発明の一実施例を図面に従って説明する。
【００１３】
図１は、ペット手入れ設備を備えた土間２と、これに続いて配置された洗面室８おび浴室９を表す斜視図である。図１を上面からみた平面図が図２である。図２で示すように、土間２は玄関に連続する配置にあり、図１に示すように、この土間２の一壁面に沿って、カウンタートップ３が開閉式のカウンター台が設けられている。カウンター台は、小型〜中型犬を乗せてブラッシングなどの手入れを行うのに十分な大きさ（Ｗ＝８００、Ｄ＝７５０、Ｈ＝９００（ミリ））を有している。矩形状のカウンタートップ３の壁際の一端はヒンジによりカウンター台に接合されており、カウンタートップ３の手前を上に引き上げて開けられるようになっている。カウンタートップ３の下方には、給湯給水のカランとシャワー付きのシンク４が設けられている。カウンタートップ３を開閉する際に邪魔にならない位置の壁面には、コンセント５とペット用リード掛けフック６が設けられている。さらに、土間２の壁面には、腰の高さに水平に見切りを入れ、上下にクロスを張り分けて、汚れの集中する下部分を張り替えできるようになっている。また、土間２の床は、掃除の楽なリノリウム仕上げとなっている。さらに図２で示すように、土間２と玄関は引き戸で隔てられており、飼い主は引き戸を開けて玄関から土足のまま直接入れるようになっている。
【００１４】
土間２の隣には、図１および図２に示すように、洗面台７を備えた洗面室８が設けられている。洗面台７は、小型犬をシャンプーするのに十分な大きさの流しとシャワー式カランを擁するもので、カウンター台に隣接するように配置され、洗面台７の流しの水平位置はカウンタートップ３を閉めた場合の高さと略同じに設定されている。洗面室８の床面は土間２の床面より一段高くなっていて、ペットを連れた飼い主は土間２で靴を脱いで上がれるようになっている。さらに壁面は、腰の高さの水平の見切りがあり、上下にクロスを張り分けて汚れの集中する下部分を張り替えできるようになっている。洗面室８の隣には、引き戸に隔てられた浴室９が併設される。ペットの出し入れし易い広い開口部を確保するために３枚引き戸とし、床面は洗面室８と段差がないバリアフリー構成となっている。浴室９は、大型犬をシャンプーするのに十分な大きさ（例えば、一坪サイズのユニットバス）を有し、排水口には抜け毛をトラップするためのヘアキャッチャーを備える。
【００１５】
このような本実施例に係るペット手入れ設備を実際に使用するには、例えば以下のようにして行う。まず、ペットの散歩から帰った飼い主は、ペットと一緒に玄関から土間２に土足のまま入り、ここでブラッシングを行ってペットの毛に付着した汚れを落とし、カウンタートップ３を開けてシンク４の水を使って脚の汚れを洗い落とす。すなわち、ペットの表面の汚れを大まかに土間２で落とすことができるので、汚れの持ち込みを防いで居室を清潔に保つことができる。また、散歩に使ったリード掛けフック６や散歩に使った道具などもシンク４で洗って、その後にリード掛けフック６に掛けておくことができ、ペット用具を居室に持ち込まずに済むので衛生的である。汚れを払った後に、引き続きペットをシャンプーする場合、ペットが小型犬のサイズであれば、カウンター台の隣の洗面台７の流しに平行に移し、ここでシャンプーを行う。そしてタオルドライ後に、閉じた状態のカウンタートップ３に移動させ、壁面に設けたコンセント５から電源をとってドライヤーを用いて乾燥させる。このように、カウンタートップ３の位置が洗面台７と略同じ高さに設けられているため、洗面台７からカウンタートップ３へペットを簡単に移動させることができるし、また、ドライヤー用コンセント５が手近な位置にあるので、使い勝手に優れている。また、ペット用のシンク４がカウンタートップ３の下に収納されているので、シンク４とカウンター台を別々に設けた場合に比べて、限られた空間を効率的に利用することができる。
【００１６】
中型犬以上のサイズのペットをシャンプーする場合は、土間２で大まかな汚れを落とし、脚を清潔にした後に洗面室８にあげ、浴室９に移動させてシャンプーする。タオルドライ後に、洗面室８に移動させてドライヤー乾燥する。浴室９と洗面室８は３枚引き戸なので、２枚分の引き戸を開けると開口部が広く確保できて、ペットと人の出入りを楽に行うことができる。また、浴室９、洗面室８と土間２を一続きの部屋のように扱うことができるので、ペットの汚れ落とし、シャンプー、ドライヤー、ブラッシングの一連の手入れを、効率的に行うことが可能となる。また、建築設計的には、通常の洗面室８と浴室９に、ペット用設備を備えた若干の空間を併設させるだけで、様々なサイズのペットに対応可能なペット用の手入れ設備を低コストで提供することが可能である。
【００１７】
なお、本発明は上述した実施例に限られるものではない。例えば、カウンタートップ３は、アコーディオン型の開閉式のものでも構わない。
【００１８】
その他、本発明は、図示例に限られずその趣旨を逸脱しない範囲で種々の変形が可能である。
【００１９】
【発明の効果】
以上詳述したように、本発明の住居では、飼い主は、各住居の玄関から繋がる土間でペットの汚れを落とし、ペット道具をシンクで洗うことができるので、他の住人に気兼ねをしないで存分にペットの世話をすることが可能となる。シンクは、開閉式のカウンタートップの下方に収納されているので、土間の広さを節約できる。さらに、この土間に続いて、洗面室、浴室と配置したので、洗面台や浴室を共有しながら、ペットのシャンプー、乾燥、ブラッシングなどの一連の手入れを、無駄なく効率的に行うことが可能となるし、ペット専用のシャンプー設備等を設ける場合よりも、施工コストを大幅に押さえることが可能となる。本設備を用いて、ペットの大まかな汚れを予め落とすことができるので、衛生面や、掃除頻度を押さえる点で、飼い主にとって都合がよいというメリットもある。
【図面の簡単な説明】
【図１】本発明の一実施例の、ペット手入れ設備、洗面室および浴室を説明するための斜視図である。
【図２】同実施例における平面図である。
【符号の説明】
１  ペット手入れ設備
２  土間
３  カウンタートップ
４  シンク
５  コンセント
６  リード掛けフック
７  洗面台
８  洗面室
９  浴室
【図１】
0004119660.tif 000002
【図２】
0004119660.tif 000003